【手続補正書】
【提出日】平成17年9月1日(2005.9.1)
【手続補正１】
【補正対象書類名】明細書
【補正対象項目名】全文
【補正方法】変更
【補正の内容】
【書類名】明細書
【発明の名称】枠材の組み付け方法および組み付け締結構造
【特許請求の範囲】
【請求項１】縦枠および横枠の締結手段を含む枠材の組み付け方法であって、縦枠又は横枠の木口部分の釘打込み又はビス螺入方向へ釘又はビス用下孔を予め穿設し、一方、横枠又は縦枠の木口面から釘又はビスが打込まれ又は螺入される範囲内の適宜部位に釘又はねじ保持力に優れた補強部材を配設しておき、然る後、縦枠の側面から横枠の木口へ向けて又は横枠の上面或は下面から縦枠の木口へ向けて釘を打込み又はビスを螺入して枠材を締結することを特徴とする枠材の組み付け方法。
【請求項２】縦枠および横枠の締結手段を含む枠材の組み付け締結構造であって、木口部分に又はビス用下孔を穿設した縦枠又は横枠と、横枠又は縦枠の木口面から釘又はビスが打込まれ又は螺入される範囲内の適宜部位に配設された釘又はねじ保持力に優れた補強部材と、縦枠の側面から横枠の木口へ向けて又は横枠の上面或は下面から縦枠の木口へ向けて打込み又は螺入され、前記補強部材を貫通する釘またはビスとを備えたことを特徴とする枠材の組み付け締結構造。
【請求項３】下孔の軸心に垂直な方向からそれぞれの軸心が交差する如く孔を穿設し、その孔に木質材または合成樹脂の補強部材を配設している請求項２に記載の枠材の組み付け締結構造。
【発明の詳細な説明】
【０００１】
【発明の属する技術分野】
本発明は、たとえば開口枠を開口部へ取付ける際の組み付け方法および組付け締結構造に関する。
【０００２】
【従来の技術】
従来、たとえば開口枠を開口部へ取付けるに際しては、事前に組み付けて開口部へ搬送し、取付け施工する。而して、組み付けに際して、図４および図５に示すように、たとえば縦枠２の側面から縦枠２の内側面に当接させた横枠１の木口へ釘の打込み或はビスの螺入によって縦枠２と横枠１を締結して組み付けていた。
【０００３】
【発明が解決しようとする課題】
しかしながら、上記従来技術によるときは、たとえば縦枠２の側面から横枠１の木口へ打込まれた釘或は螺入されたビス３によって横枠１の木口部に割れＳを生じてしまうことがある。わけても、縦横の枠材の基材にＭＤＦ（中密度繊維板）といった層間強度の低い材料を用いるときにこの傾向が強い。而して、たとえば横枠１の木口部に割れＳを生じると、縦枠２と横枠１の締結が外れ、組み付けをやり直し多くの手間と時間を要する問題を生じる。
【０００４】
本発明は、従来技術における上記問題を解決し、短い時間と少ない手間で確実に枠材の組み付けを行うことができる枠材の組み付け方法および枠材の組み付け締結構造を提供することを目的とする。
【０００５】
【課題を解決するための手段】
上記課題を解決するための本発明の枠材の組み付け方法は、縦枠および横枠の締結手段を含む枠材の組み付け方法であって、縦枠又は横枠の木口部分の釘打込み又はビス螺入方向へ釘又はビス用下孔を予め穿設し、一方、横枠又は縦枠の木口面から釘又はビスが打込まれ又は螺入される範囲内の適宜部位に釘又はねじ保持力に優れた補強部材を配設しておき、然る後、縦枠の側面から横枠の木口へ向けて又は横枠の上面或は下面から縦枠の木口へ向けて釘を打込み又はビスを螺入して枠材を締結することを特徴としている。
また、本発明の枠材の組み付け締結構造は、縦枠および横枠の締結手段を含む枠材の組み付け締結構造であって、木口部分に又はビス用下孔を穿設した縦枠又は横枠と、横枠又は縦枠の木口面から釘又はビスが打込まれ又は螺入される範囲内の適宜部位に配設された釘又はねじ保持力に優れた補強部材と、縦枠の側面から横枠の木口へ向けて又は横枠の上面或は下面から縦枠の木口へ向けて打込み又は螺入され、前記補強部材を貫通する釘またはビスとを備えたことを特徴としている。
【０００６】
【作用】
本発明は叙上の構成になるから、横枠または縦枠の木口における割れを防止して横枠または縦枠の木口部の割れに起因する横枠と縦枠の外れを防止でき、たとえば開口枠を開口部へ取付け施工するに際しての省力化を図ることができる。また、横枠と縦枠の締結に用いるビスも、割れ防止機構をもった特殊なビスではなく一般のビスを使用できるからコスト低減に資することができる。
【０００７】
【発明の実施の形態】
以下、本発明をその好ましい実施形態に則して説明する。
【０００８】
【実施例】
図１ないし図３に、本発明の実施の態様の一例を示す。図１は、本発明を実施する際の、横枠および縦枠の状態を示す平面図、図２はその縦断面図である。図３は、組み付け後の縦枠および横枠の締結状態を示す部分拡大縦断面図である。
【０００９】
図１ないし図３において、１１は横枠、１２は縦枠である。１３はビスである。２３はビス下孔であって、ビス１３の直径よりも小さな直径の孔が、ビスの螺入位置に穿設される。この実施例においては、ビス１３を用いているけれども、釘を用いる場合も同様の下孔が穿設される。この実施例においては、縦枠１２の側面から横枠１１の木口へビスの螺入位置に螺入方向へ向けてビス下孔２３が穿設される。
【００１０】
１４は補強部材であり、ねじ、釘保持力に優れたあおだもといった木質材や合成樹脂等を用いることができる。補強部材１４は、この実施例においては、図１および図２に示すように、予め穿設したビス下孔２３の軸心に垂直な方向からそれぞれの軸心が交差する如く孔を穿設しておき、その孔に木栓状のものを打込んで形成されている。而して、縦横枠を締結するに際しては、この実施例においては図３に示すように、縦枠１２側面から横枠１１木口部へビス１３がビス下孔２３に沿ってかつ補強部材１４を貫いて螺入され、縦横枠を締結、固定する。
【００１１】
この実施例においては、ビス下孔２３および木栓用孔を穿設した後にねじ、釘保持力に優れた木質材を打込んで補強材１４を形成するようにしているけれども、予め木栓用孔を穿設し釘保持力に優れた木質材や合成樹脂製の栓を打込んで補強部材１４を形成した後、ビス下孔２３を穿設することもできる。しかし、穿孔過程を集約してビス下孔２３および木栓用孔を穿設した後にねじ、釘保持力に優れた木質材や合成樹脂製の栓を打込んで補強材１４を形成するこの実施例のプロセスを採ると、工程が簡潔となる。
【００１２】
また、この実施例においては、木栓用孔を穿設し釘保持力に優れた木質材や合成樹脂製の栓を打込んで補強部材１４を形成するようにしているけれども、本発明はこれに限ることなく、たとえば横枠１１の木口部分に欠込み部を刻設しこの欠込み部に釘保持力に優れた木質材や合成樹脂製部材を嵌入、接着して補強部材１４を形成することもできる（図示せず）。
【００１３】
この実施例においては、縦枠１２側面から横枠１１木口部へ釘打込み或はビス１３螺入による縦横枠の締結としたけれども、本発明はこれに限ることなく、横枠１１の長さを縦枠１２の木口面を覆う寸法とし、たとえば上横枠１１上面から縦枠１２木口部へビス下孔２３を穿設しておいて、上横枠１１上面から縦枠１２木口部へビス１３を螺入して縦横枠を締結するようにすることもできる。その場合は、補強部材１４は、縦枠１２木口部に配設される。
【００１４】
【発明の効果】
本発明によれば、横枠または縦枠の木口部分における釘打込み或はビス螺入に起因する割れを生じることがなく、横枠と縦枠の外れを防止できる。従って、縦横枠の組み付け手直し等が全くなくしっかりした組み付けができて、たとえば開口部への開口枠取付け施工において躯体等への枠材取付けを簡略化することが可能となる。また、ビスとして、割れ防止機構をもった特殊なビスではなく一般的なビスを使用できるから高価なビスを用いる必要がなく、コスト低減に資することができる。
【図面の簡単な説明】
【図１】
本発明の一実施例に係る縦横枠締結部の平面図である。
【図２】
本発明の一実施例に係る縦横枠締結部の縦断面図である。
【図３】
本発明の一実施例に係る縦横枠締結部の部分拡大縦断面図である。
【図４】
従来の縦横枠締結方法を示す斜視図である。
【図５】
従来の縦横枠締結方法において、枠材木口部に生じる割れの模様を示す斜視図である。
【符号の説明】
１ 横枠
２ 縦枠
３ ビス
１１ 横枠
１２ 縦枠
１３ ビス
１４ 補強部材
２３ ビス下孔